(57)【要約】ユーザーのフィールド活動を妨げることなしにユーザーの手を温めることができるウォームポケット付きジャケットが開示される。前記ジャケットは、その中にウォーマーを収納するように、内皮及び外皮の二重層構造を有する。ポケットは、前記内皮及び前記外皮をポケット状に縫製することによって前記ジャケットの前部又は後部に形成される。前記ポケットは、ユーザーが両手を前記ポケットに入れることができるように、その両側に開口部付きで形成される。その片側にハンドウォーマー受入部分付きで形成された内部ポケットは前記内皮外面に連結される。【選択図】図１
2009516782.tif 000002
【特許請求の範囲】
【請求項１】
取付可能部材をジャケットに連結することによって形成されたウォームポケット付きジャケットであって、前記取付可能部材が、前記ウォームポケットを前記ジャケットの外皮外面に形成するように、前記ジャケットの外皮外面に連結されるか、又は前記取付可能部材が、前記ウォームポケットを前記ジャケットの外皮内面に形成するように、前記ジャケットの外皮内面に連結され、ユーザーが前記ウォームポケットに両手を入れることができるように、開口部が前記ウォームポケットの両側に形成されることを特徴とするウォームポケット付きジャケット。
【請求項２】
請求項１で特許請求のジャケットであって、中間部材が前記取付可能部材と、前記取付可能部材に対応する前記ジャケットの所定部分と、の間に挟入され、さらに前記取付可能部材が前記中間部材によって前記ジャケットに連結されることを特徴とするジャケット。
【請求項３】
請求項１で特許請求のジャケットであって、前記ウォームポケットを前記ジャケットに密着させて形成するように、前記取付可能部材が前記ジャケットの外皮に密接して連結されるか、又は前記ウォームポケットが前記ジャケットと間隔を置くように、高さ調整部分が前記取付可能部材の横側面に形成されることを特徴とするジャケット。
【請求項４】
取付可能部材をジャケットに連結することによって形成されたウォームポケット付きジャケットであって、前記取付可能部材が、前記ウォームポケットを前記ジャケットの内皮外面に形成するように、前記ジャケットの内皮外面に連結されるか、又は前記取付可能部材が、前記ウォームポケットを前記ジャケットの内皮内面に形成するように、前記ジャケットの内皮内面に連結され、ユーザーが前記ウォームポケットに両手を入れることができるように、開口部が前記ウォームポケットの両側に形成されることを特徴とするウォームポケット付きジャケット。
【請求項５】
請求項４で特許請求のジャケットであって、中間部材が前記取付可能部材と、前記取付可能部材に対応する前記ジャケットの所定部分と、の間に挟入され、さらに前記取付可能部材が前記中間部材によって前記ジャケットに連結されることを特徴とするジャケット。
【請求項６】
請求項４で特許請求のジャケットであって、前記ウォームポケットを前記ジャケットに密着させて形成するように、前記取付可能部材が前記ジャケットの内皮に密接して連結されるか、又は前記ウォームポケットが前記ジャケットと間隔を置くように、高さ調整部分が前記取付可能部材の横側面に形成されることを特徴とするジャケット。
【請求項７】
取付可能部材をジャケットに連結することによって形成されたウォームポケット付きジャケットであって、前記取付可能部材が、前記ジャケットの外皮外面、外皮内面、内皮外面、及び内皮内面のうちの１つに連結され、前記取付可能部材がボックス形状を有し、開口部が前記取付可能部材の両側に形成されてユーザーが前記ウォームポケットに両手を入れることができることを特徴とするウォームポケット付きジャケット。
【請求項８】
内皮及び外皮の二重層構造を有するジャケットであって、ウォームポケットを形成するように、前記内皮が前記外皮に連結され、ユーザーが前記ウォームポケットに両手を入れることができるように、開口部が前記ウォームポケットの両側に形成されることを特徴とするジャケット。
【請求項９】
請求項８で特許請求のジャケットであって、中間部材が前記内皮と外皮との間に挟入されて前記ウォームポケットを構成し、前記内皮が前記中間部材によって前記外皮に連結されることを特徴とするジャケット。
【請求項１０】
請求項８で特許請求のジャケットであって、前記ウォームポケットを前記ジャケットに密着させて形成するように、前記内皮が前記外皮に密接して連結されるか、又は前記ウォームポケットが前記ジャケットと間隔を置くように、高さ調整部分が前記内皮及び外皮の横側面部分に形成されることを特徴とするジャケット。
【請求項１１】
請求項１〜１０の任意の一項で特許請求のジャケットであって、その片側に形成されたウォーマーを受け入れるための開口ポートを有する内部ポケットが前記ウォーマーポケットの内面に連結されることを特徴とするジャケット。
【請求項１２】
請求項１１で特許請求のジャケットであって、前記ウォームポケット、前記ジャケットの内皮、又は前記内皮の一部に可撓性材料が含まれることを特徴とするジャケット。
【請求項１３】
請求項４〜１０の任意の一項で特許請求のジャケットであって、前記内皮がユーザーの腹部に対応する前内皮と、ユーザーの背部に対応する後内皮と、に分かれており、前記前内皮がベルクロテープによって前記後内皮に連結されていることを特徴とするジャケット。
【請求項１４】
請求項１３で特許請求のジャケットであって、ユーザーが前記横開口部部分に手を入れることによって前記前内皮を前記後内皮に合わせることができるように、開閉ユニットを装備した横開口部部分が前記ジャケットの前部と後部とが出会う前記ジャケットの横側面部分に形成されていることを特徴とするジャケット。
【請求項１５】
請求項１〜１０の任意の一項で請求のジャケットであって、前記ウォームポケットをユーザーの腰周りに密着させるように、その長さを調整できる長さ調整部材が前記ジャケットのウォームポケットの両側、前記外皮外面、前記外皮内面、前記内皮外面、及び前記内皮内面のうちの１つにさらに連結されることを特徴とするジャケット。
【請求項１６】
請求項１５で特許請求のジャケットであって、前記長さ調整部材が前記ジャケットのウォームポケットの両側、前記外皮外面、前記外皮内面、前記内皮外面、及び前記内皮内面のうちの１つに着脱可能に連結されることを特徴とするジャケット。
【請求項１７】
請求項１５で特許請求のジャケットであって、ユーザーが前記横開口部部分に手を入れることによって前記長さ調整部材を調整できるように、開閉ユニットを装備した横開口部部分が前記ジャケットの前部と後部が出会う前記ジャケットの横側面部分に形成されることを特徴とするジャケット。
【請求項１８】
請求項１１で特許請求のジャケットであって、前記取付可能部材又は前記内部ポケットがそれぞれ前記ジャケット又は前記ウォームポケットに着脱可能に連結されるように、着脱可能部材が前記取付可能部材の下部分又は前記ジャケットの内部ポケットの下部分に設けられることを特徴とするジャケット。
【請求項１９】
請求項１１で特許請求のジャケットであって、前記ウォームポケット又は前記内部ポケットを選択的に開閉するように、締結部材が前記ウォームポケットの開口部又は前記内部ポケットの入口に形成されることを特徴とするジャケット。
【請求項２０】
請求項１９で特許請求のジャケットであって、前記締結部材にはスライドファスナー、ベルクロファスナー、及びボタンからなるグループから選択されるものが１つが含まれることを特徴とするジャケット。
【請求項２１】
請求項１〜１０の任意の一項で特許請求のジャケットであって、ユーザーが前記ウォームポケットの開口部を介して前記ジャケットの前内部部分から後内部部分に手を入れられるように、前記ジャケットの外皮の横内部部分が開かれることを特徴とするジャケット。
【請求項２２】
請求項１１で特許請求のジャケットであって、前記ウォームポケットが、前記ジャケットの前部又は後部に選択的に形成されるか、又は前記ジャケットの前部及び後部の両方に同時に形成されることを特徴とするジャケット。
【請求項２３】
請求項２２で特許請求のジャケットであって、前記ウォームポケットが前記ウォームポケットを左右のポケット部分に分割する縫製部分で形成されることを特徴とするジャケット。
【発明の詳細な説明】
【技術分野】
【０００１】
本発明はウォームポケット付きジャケットに関するものであり、より具体的には、本発明は、ユーザーのフィールド活動を妨げることなしにユーザーの手を温めることができるウォームポケット付きジャケットに関するものである。
【０００２】
ゴルフ、インラインスケーティングなどの一部のスポーツは、その性質から戸外でプレーしなければならない。
【０００３】
特にゴルフの場合、ゴルフクラブを正確にグリップすることが重要であるため、ゴルファーが厚手の手袋を着用することは稀である。冬季でもゴルファーはスムーズにスイング動作を行えるように、ゴルファーの身体に密着する薄手のジャケットを着用する場合もある。前記薄手ジャケットはシンプルな必要があるので、前記薄手ジャケットにはティーなどの小さなゴルフ用品を収納するのに好適な小ポケットのみが付いている。そのため、ゴルファーは前記小ポケットにその手を容易に入れることもできない。冬季に、ゴルファーが薄手のゴルフ手袋を着用してゴルフをプレーする場合、指の感覚が薄れることもあるので、ゴルファーは最高のスコアを出すことができない。
【背景技術】
【０００４】
上記問題を解決するため、図５０に示すような保温具が提案されている。
【０００５】
図５０は従来の保温具を図解説明する図である。
【０００６】
図５０に示すように、従来の保温具は、ゴルフ手袋２を着用するユーザーの手１を受け入れることができる保温手袋１０である。
【０００７】
前記保温手袋１０は、前記ゴルフ手袋２を着用するユーザーの手１を容易に受け入れられるようにミトン形式で作られる。ユーザーは、前記保温手袋１０に形成された開口部１２を介して前記保温手袋１０を着脱できる。
【０００８】
しかしながら、前記保温手袋１０は、ユーザーのジャケットに紐で接続される必要があるので、ユーザーのスイング動作を妨げる場合もある。さらに、ユーザーが前記保温手袋１０をその片手に着用するためには、別の片手で前記保温手袋１０を保持する必要があるために前記保温手袋１０は使用に不便である。
【０００９】
上記問題を解決するため、図５１及び図５２に示すような別の保温具が提案されている。
【００１０】
図５１は別の従来の保温具を図解説明する斜視図であり、図５２は、別の従来の保温具の使用状態を図解説明する図である。
【００１１】
図５１に示すように、別の従来の保温具は、腰紐２４を介してユーザーの腰に密着する保温バッグ２０である。前記保温バッグ２０は、前記保温バッグ２０に沿って長さ方向に延びているポケット２２とともにその内部部分に形成されると同時に、前記保温バッグ２０の両側端部分に開口部を形成するので、ユーザーが前記保温バッグ２０のポケットに２２に両手を入れることができるようになっている。さらに、バックルの挿入部分２６及び受入部分２８も前記腰紐２４の両端部分に設けられている。
【００１２】
図５１に示すように、ユーザーは上記構造の前記保温バッグ２０を腰紐２４を用いてユーザーのジャケット３０の腰周りに連結することができる。
【００１３】
しかしながら、ユーザーがその手を前記ポケット２２に容易に出し入れできるように、前記保温バッグ２０に形成された前記ポケット２２が円筒状構造を有するので、前記ポケット２２はユーザーの活動を妨げる可能性もあり、前記保温バッグ２０の美観が損なわれる可能性もある。さらに、ユーザーがオーバーコートを着用する際には、ユーザーは前記保温バッグ２０を取り外し、別の場所に保管しなくてはならないので前記保温バッグ２０の使用を不便なものとする。
【発明の開示】
【発明が解決しようとする課題】
【００１４】
本発明は、従来技術において生じる前述の問題点に鑑みてなされたものであり、ユーザーのスイング動作や戸外活動を妨げることなしにユーザーの両手を温めることができるウォームポケット付きジャケットを提供することが本発明の目的である。
【００１５】
本発明の別の目的は、たとえユーザーが前記ジャケットの上にオーバーコートの上にジャケットを着用しても、服装のスタイルを損なわないウォームポケット付きジャケットを提供することである。
【課題を解決するための手段】
【００１６】
次に挙げる本発明の説明では、用語「ジャケット」にベストなどの各種アウターウェアを含む場合もある。
【００１７】
上記目的を達成するため、本発明の一態様によれば、取付可能部材を前記ジャケットに連結することによって形成されたウォームポケット付きジャケットが提供されるものであって、ここでは、前記取付可能部材が、前記ウォームポケットを前記ジャケットの外皮外面に形成するように、前記ジャケットの外皮外面に連結されるか、又は前記取付可能部材が、前記ウォームポケットを前記ジャケットの外皮内面に形成するように、前記ジャケットの外皮内面に連結され、そこではユーザーが前記ウォームポケットに両手を入れることができるように、開口部が前記ウォームポケットの両側に形成される。
【００１８】
中間部材は、前記取付可能部材と、前記取付可能部材に対応する前記ジャケットの所定部分と、の間に挟入され、前記取付可能部材は前記中間部材によって前記ジャケットに連結される。
【００１９】
前記取付可能部材は、前記ウォームポケットを前記ジャケットに密着させて形成するように、前記ジャケットの外皮に密接して連結されるか、又は高さ調整部分は、前記ウォームポケットが前記ジャケットから間隔をおいて配されるように、前記取付可能部材の横側面に形成される。
【００２０】
本発明の別の態様によれば、取付可能部材を前記ジャケットに連結することによって形成されたウォームポケット付きジャケットが提供されるものであって、ここでは、前記取付可能部材が、前記ウォームポケットを前記ジャケットの内皮外面に形成するように、前記ジャケットの内皮外面に連結されるか、又は前記取付可能部材が、前記ウォームポケットを前記ジャケットの内皮内面に形成するように、前記ジャケットの内皮内面に連結され、そこではユーザーが前記ウォームポケットに両手を入れることができるように、開口部が前記ウォームポケットの両側に形成される。
【００２１】
中間部材は、前記取付可能部材と、前記取付可能部材に対応する前記ジャケットの所定部分と、の間に挟入され、前記取付可能部材は前記中間部材によって前記ジャケットに連結され、前記内皮は前記中間部材によって外皮に連結される。
【００２２】
前記取付可能部材は、前記ウォームポケットを前記ジャケットに密着させて形成するように、前記ジャケットの内皮に密接して連結されるか、又は高さ調整部分は、前記ウォームポケットが前記ジャケットから間隔をおいて配されるように、前記取付可能部材の横側面に形成される。
【００２３】
本発明のさらに別の態様によれば、取付可能部材を前記ジャケットに連結することによって形成されたウォームポケット付きジャケットが提供されるものであって、ここでは、前記取付可能部材が、前記ジャケットの外皮外面、外皮内面、内皮外面、及び内皮内面のうちの１つに連結され、前記取付可能部材がボックス形状を有し、開口部が前記取付可能部材の両側に形成されてユーザーが前記ウォームポケットに両手を入れることができることを特徴とする。
【００２４】
本発明のさらなる一態様によれば、二重層構造の内皮及び外皮を有するジャケットが提供されるものであって、ここでは、ウォームポケットを形成するように、前記内皮が前記外皮に連結され、ユーザーが前記ウォームポケットに両手を入れることができるように、開口部が前記ウォームポケットの両側に形成されることを特徴とする。
【００２５】
中間部材は前記内皮と外皮との間に挟入されて前記ウォームポケットを構成し、前記中間部材によって前記内皮が前記外皮に連結される。
【００２６】
前記内皮は、前記ウォームポケットを前記ジャケットに密着させて形成するように、前記外皮に密接して連結されるか、又は高さ調整部分は、前記ウォームポケットが前記ジャケットから間隔をおいて配されるように、前記内皮と外皮の横側面部分に形成される。
【００２７】
その片側に形成されたウォーマーを受け入れるための開口ポートを有する内部ポケットは、前記ウォーマーポケットの内面に連結される。
【００２８】
前記ウォームポケット、前記ジャケットの内皮、又は前記内皮の一部には可撓性材料が含まれる。
【００２９】
前記内皮は、ユーザーの腹部に対応する前内皮と、ユーザーの背部に対応する後内皮と、に分かれており、前記前内皮はベルクロテープによって前記後内皮に連結されている。
【００３０】
開閉ユニットを装備した横開口部部分は、ユーザーが前記横開口部部分に手を入れることによって前記前内皮を前記後内皮に合わせることができるようになっている前記ジャケットの前部と後部が出会う前記ジャケットの横側面部分に形成される。
【００３１】
その長さを調整できる長さ調整部材は、前記ウォームポケットをユーザーの腰周りに密着させるように、前記ジャケットのウォームポケットの両側、前記外皮外面、前記外皮内面、前記内皮外面、及び前記内皮内面のうちの１つにさらに連結される。
【００３２】
前記長さ調整部材は、前記ジャケットのウォームポケットの両側、前記外皮外面、前記外皮内面、前記内皮外面、及び前記内皮内面のうちの１つに着脱可能に連結される。
【００３３】
開閉ユニットを装備した横開口部部分は、ユーザーが前記横開口部部分に手を入れることによって前記長さ調整部材を調整できるようになっている前記ジャケットの前部と後部が出会う前記ジャケットの横側面部分に形成される。
【００３４】
着脱可能部材は、前記取付可能部材又は前記内部ポケットがそれぞれ前記ジャケット又は前記ウォームポケットに着脱可能に連結されるように、前記取付可能部材の下部分又は前記ジャケットの内部ポケットの下部分に設けられる。
【００３５】
締結部材は、前記ウォームポケット又は前記内部ポケットを選択的に開閉するように、前記ウォームポケットの開口部又は前記内部ポケットの入口に形成される。
【００３６】
前記締結部材にはスライドファスナー、ベルクロファスナー、及びボタンからなるグループから選択されるものが１つが含まれる。
【００３７】
前記ジャケットの外皮の横内部部分は、ユーザーが前記ウォームポケットの開口部を介して前記ジャケットの前内部部分から後内部部分に手を入れられるように開かれる。
【００３８】
前記ウォームポケットは、前記ジャケットの前部又は後部に選択的に形成されるか、又は前記ジャケットの前部及び後部の両方に同時に形成される。
【００３９】
前記ウォームポケットは、それ左右のポケット部分に分割する縫製部分で形成される。
【発明の効果】
【００４０】
前述のように本発明によれば、前記ウォームポケットは前記ジャケットに密接して連結されるので、前記ウォームポケットがユーザーのフィールド活動を妨げることがない。
【００４１】
つまり、前記外皮と前記内皮とを組み合わせることによって前記ウォームポケットを前記二重層構造のジャケットに形成すること、又は前記取付部材を前記ジャケットの内皮又は外皮の内面又は外面に連結することによって前記ウォームポケットを単層又は二重層構造の前記ジャケットに形成すること、が可能である。さらに、前記ウォームポケットは、ボックス形状を有する前記取付部材を前記ジャケットの内皮又は外皮の内面又は外面に連結することによって形成することも可能である。そのため、多様なポケット付きの前記ジャケットを提供することが可能である。
【００４２】
前記中間部材が、前記取付部材と前記ジャケットとの間、又は前記二重層構造のジャケットの内皮と外皮との間に挟入される場合では、前記ジャケットを前記取付部材に連結させること、又は前記内皮を前記中間部材を介して前記外皮に連結させること、が可能であり、その縫い目を隠すこともできるので、前記ジャケットをシンプルなデザインにすることができるようになっている。さらに、前記ジャケットの材質に拘わらず、内部ポケットを前記中間部材によって安定的に支えることも可能である。
【００４３】
さらに、本発明によれば、前記ジャケットが二重層構造を有する場合、又は前記取付部材が前記ジャケットに密接して連結される場合、前記内皮は前記外皮に密接して連結されるので、スリムでシンプルな構造の前記ジャケットを提供することが可能である。高さ調整部分が前記ジャケットと前記取付部材との間、及び前記内皮と外皮との間に設けられている場合、ユーザーはその手を前記ウォームポケットに容易に挿入することができ、カジュアルなジャケットを実現することが可能である。
【００４４】
特に、前記ポケットの開口部がベルクロファスナー又はスライドファスナーによってシールされている場合、前記ジャケットをポケットなしジャケットの構造と実質的に同一の構造にすることも可能である。そのため、前記ポケットが下方にたるまないので、前記ポケットはユーザーのスイング動作を妨げることがない。
【００４５】
さらに、その片側に形成された前記ハンドウォーマー受入部分を有する内部ポケットが前記内皮外面に連結されるので、ユーザーの必要に応じて前記ウォーマーを前記内部ポケットに収納することが可能である。この場合、前記ジャケットの保温効率を向上させることが可能である。
【００４６】
さらに、前記内部ポケットを前記着脱可能部材によって前記内皮に着脱可能に連結することが可能であるので、たとえば冬季などに前記ウォーマーが必要な際にユーザーは前記内部ポケットを選択的に利用することができる。そのため、前記ジャケットの構造をシンプルにすることが可能であり、前記ジャケットの重量を低減することも可能である。
【００４７】
さらに、前記内部ポケットがスパンデックスなどの可撓性材料からなるので、前記内部ポケットを多様なサイズを有する前記ウォーマーを受け入れるように適合させることも可能である。前記内部ポケットが可撓性材料からなる場合、別個の締結部材が前記ウォーマー受入部分の入口に設けられていない場合でさえも、前記ウォーマーが偶発的に前記ウォーマー受入部分から分離することを防止できる。
【００４８】
なお、前記ウォーマーが前記ウォーマー受入部分から分離されるのを完全に防止するように、ジッパー、ボタン、ベルクロファスナー、又はスナップなどの締結部材を前記内部ポケットの入口に設けることができる。
【００４９】
さらに、前記内部ポケットとともに形成された前記内皮全体又は前記内皮の一部が可撓性材料からなる場合、前記ウォーマーの重量のために前記ポケットが下方にたるむことをさらに防止することが可能である。
【００５０】
前記内皮は、前記前内皮に形成された前記ジャケットの腹部と、前記ジャケットの背部に形成された前記後内皮と、に分割することも可能であるが、ベルクロテープを用いて前記前内皮を前記後内皮と連結することもできる。さらに、エラスチックバンドなどの前記長さ調整部材は前記内皮の横部分に連結することが可能である。この場合、前記ウォーマーの重量のために、前記ポケットが下方にたるむことをさらに防止することが可能である。
【００５１】
さらに、前記ウォーマーをユーザーの身体に緊密に密着させることも可能であるので、前記ジャケットの美観が損なわれないようになっている。前記ウォーマーはユーザーの身体に緊密に密着するので、ユーザーの手に加えてユーザーの身体を温めることも可能である。
【００５２】
なお、開閉ユニットを有する横開口部は、前記ジャケットの前部が前記ジャケットの後部に出会うようになっている前記ジャケットの横側面部分に形成されるので、ユーザーはその手を前記横開口部に入れることによって前記前内皮、前記後内皮及び長さ調整部材を互いに連結させることができる。
【００５３】
本発明によれば、前記ウォームポケットを左右のポケット部に分割するために、その縫製部分を前記ウォームポケットの中心部分に形成することが可能である。この場合、前記ウォームポケットが標準的なジャケットに一般的に形成されるポケットの構造と同一の構造を有するので、前記ウォームポケットはユーザーの好みを満足させることも可能である。
【００５４】
さらに、本発明に係るウォームポケットを前記ジャケットの前部ないしは後部に形成することが可能である。そのため、ユーザーがスイング動作を行う際、前記ジャケットの後部に形成された前記ウォームポケットのみを使用することも可能であると同時に、ユーザーがジッパー又はベルクロテープを用いて前記ジャケットの前部に形成された前記ウォームポケットを締結できるので、前記ウォームポケットはユーザーのスイング動作を妨げない。さらに、ユーザーが他の活動を行う際に、ユーザーは前記ジャケットの前部に形成された前記ウォームポケットを使用することが可能である。
【００５５】
本発明によれば、着脱可能部材は、前記ポケットを前記ジャケットの外皮に着脱可能に連結できるように、その中に前記ハンドウォーマーを有する前記ポケットの下面に設けられる。この場合、ユーザーは、その必要に応じて前記ポケットを選択的に使用することが可能である。
【００５６】
さらに、本発明によれば、前記内部ポケットならびに前記ウォームポケット、及び前記長さ調整部材は、前記単層又は二重層ジャケットに着脱可能に連結されるので、ユーザーの手を温めることが不要な際には、ユーザーが前記内部ポケット、前記ウォームポケット及び前記長さ調整部材を前記ジャケットから取り外すことが可能になっている。よって、ユーザーの手を温めることが不要な際、ユーザーは服装のスタイルを損なうことなしにシンプルな構造の前記ジャケットを着用することが可能である。
【００５７】
さらに、本発明の長さ調整部材を、前記外皮の内面又は外面、前記内皮、又は前記二重層ジャケットのウォームポケットに連結すること、又は前記外皮外面又は内面、又は前記単層ジャケットのウォームポケットに連結すること、が可能である。そのため、前記長さ調整部材は人体に密着するので、前記保温効率をさらに向上させることが可能になっている。さらに、前記長さ調整部材を前記ジャケットの内部部分に連結することが可能であるので、服装のスタイルを損なわない。また、前記長さ調整部材を前記ジャケットの外側部分に連結することが可能である。この場合、前記長さ調整部材を装備する前記ジャケットの製造コストを低減することが可能であると同時に、前記長さ調整部材の使用の利便性を向上させることもできる。つまり、前記長さ調整部材は、ユーザーの好みに従って多様な方式で前記ジャケットに連結することが可能である。
【発明を実施するための最良の形態】
【００５８】
以下に本発明の実施形態を説明する。
【００５９】
本発明の以下の説明では、本明細書の一部とした公知の機能及び形態の詳細な説明が本発明の主題を不明確にする恐れがある際は、その説明を省略する。さらに、本発明で使用する用語は、その機能を考慮して選択されている。かかる用語が製造者の意図又はその習慣に応じてさまざまに変化する場合もあるので、その用語の定義は本明細書における全体の文脈の前後関係に基づいて判定されなければならない。
【００６０】
（実施形態１）
以下に、本発明の第１実施形態に係るウォームポケット付きジャケットを図１〜図３を参照して説明する。
【００６１】
図１は、本発明の第１実施形態に係るジャケットを図解説明する部分前方斜視図であり、図２は、本発明の第１実施形態に係るジャケットを図解説明する部分後方斜視図であり、図３は図に示したＩ−Ｉ断面図である。
【００６２】
図１〜図３に示すように、本発明の第１実施形態に係るウォームポケットを有するジャケット１００（以下、特に解説を要さない場合は単にジャケットと呼ぶ）は外皮１１０のみを含む単層構造を有する。しかしながら、前記ジャケット１００は前記外皮１１０に加えて内皮を含む二重層構造を有することも可能である。
【００６３】
前記ウォームポケットは、前記ジャケット１００の腹部ないしは背部に形成される。この実施形態では、取付可能外皮１１０ａは前記ジャケット１００の外皮１１０に密接して連結される。
【００６４】
前記ウォームポケットを形成するために、前記取付可能外皮１１０ａは前記ジャケット１００の外皮１１０外面に縫製される。そのため、前記ジャケット１００の外皮１１０は、前記ウォームポケットの内皮となり、前記取付可能外皮１１０ａは前記ウォームポケットの外皮となる。
【００６５】
開口部１１２は、ユーザーが前記ウォームポケットに両手を入れることができるように、前記ウォームポケットの両側に形成される。
【００６６】
ハンドウォーマーなどのウォーマー１４０を受け入れるための入口１２２を有する内部ポケット１２０（以下、特に解説を要さない場合は内部ポケットと呼ぶ）は、前記ウォームポケットの内皮に連結される。
【００６７】
[発明の実施態様]
（実施形態２）
以下、本発明の第２実施形態に係るジャケットを図４及び図５を参照して説明する。
【００６８】
図４は、本発明の第２実施形態に係るジャケットを図解説明する部分前方斜視図であり、さらに、図５は図に示したＩＩ−ＩＩ断面図である。
【００６９】
図４及び図５に示すように、本発明の第２実施形態に係るジャケット２００には、前記ジャケット２００の外皮２１０に連結された取付可能外皮２１０ａと、前記取付可能外皮２１０ａ及び前記外皮２１０の間に挟入される中間部材２１５と、が含まれる。そのため、前記取付可能外皮２１０ａと前記外皮２１０とは、前記中間部材２１５を介して互いに連結される。
【００７０】
前記中間部材２１５のため、前記ウォームポケットを前記ジャケット２００の材質に拘わらず、前記ジャケット２００に安定的に連結することが可能である。
【００７１】
なお、本発明の第２実施形態は、前記二重層構造又は前記外皮のみを含む前記単層構造のいずれのジャケットに対しても適用可能である。前記第１実施形態における要素と同一の要素については後述しない。
【００７２】
(実施形態３)
以下、本発明の第３実施形態に係るジャケットを図６及び図７を参照して説明する。
【００７３】
図６は、本発明の第３実施形態に係るジャケットを図解説明する部分前方斜視図であり、図７は図に示したＩＩＩ-ＩＩＩ断面図である。
【００７４】
図６及び図７に示すように、本発明の第３実施形態に係るジャケット３００には、前記ジャケット３００の外皮３１０に連結された取付可能外皮３１０ａが含まれる。前記第３実施形態は、高さ調整部分３１７が前記ウォームポケットの横部分に設けられているという点で前記第１実施形態と異なる。
【００７５】
つまり、前記取付可能外皮１１０ａが前記外皮１１０に密着されている前記第１実施形態と異なり、本発明の第３実施形態によれば、前記ウォームポケットが前記ジャケット３００から所定間隔をおいて位置するように、前記高さ調整部分３１７は前記ウォームポケットの横部分に設けられる。
【００７６】
なお、本発明の第３実施形態は、前記二重層構造又は前記外皮のみを含む前記単層構造のいずれのジャケットに対しても適用可能である。前記第１実施形態における要素と同一の要素については後述しない。
【００７７】
（実施形態４）
以下、本発明の第４実施形態に係るジャケットを図８及び図９を参照して説明する。
【００７８】
図８は、本発明の第４実施形態に係るジャケットを図解説明する部分前方斜視図であり、さらに、図９は図に示したＩＶ-ＩＶ断面図である。
【００７９】
図８及び図９に示すように、本発明の第４実施形態によれば、取付可能内皮４３０ａは前記ジャケット４００の外皮４１０内面に連結される。そのため、前記ジャケット４００の外皮４１０は前記ウォームポケットの外皮となり、前記取付可能内皮４３０ａは前記ウォームポケットの内皮となる。
【００８０】
前記外皮４１０に密接して連結された前記取付可能内皮４３０ａと、ウォーマーを受け入れるための開口ポート４２２を有する前記ウォームポケット４２０と、は前記取付可能内皮４３０ａに連結される。開口部４１２は、ユーザーが前記ウォームポケット４２０に両手を入れることができるように、前記ウォームポケット４２０の両側に形成される。
【００８１】
なお、本発明の第４実施形態は、前記二重層構造又は前記単層構造のいずれのジャケットに対しても適用可能である。
【００８２】
(実施形態５)
以下、本発明の第５実施形態に係るジャケットを図１０及び図１１を参照して説明する。
【００８３】
図１０は、本発明の第５実施形態に係るジャケットを図解説明する部分前方斜視図であり、さらに、図１１は図に示したＶ-Ｖ断面図である。
【００８４】
図１０及び図１１に示すように、本発明の第５実施形態に係るジャケット５００には、前記ジャケット５００の外皮５１０内面に連結された取付可能内皮５３０ａと、前記取付可能内皮５３０ａ及び前記ジャケット５００の外皮５１０の間に挟入される中間部材５１５と、が含まれる。そのため、前記取付可能内皮５３０ａ及び前記ジャケット５００の外皮５１０は、前記中間部材５１５を介して互いに連結される。
【００８５】
前記中間部材５１５のために、その縫い目を隠すこともできるので、前記ジャケット５００がシンプルなデザインを有し、前記ジャケット５００の材質に拘わらず前記ウォームポケットを前記ジャケット５００に安定的に連結することが可能である。
【００８６】
前記中間部材５１５は前記外皮５１０の全体領域に連結することが可能である。この実施形態よれば、前記中間部材５１５は、開口部５１２が形成される前記外皮５１０の所定部分に連結される。
【００８７】
なお、本発明の第５実施形態は、前記二重層構造又は前記外皮のみを含む前記単層構造のいずれのジャケットに対しても適用可能である。前記第４実施形態における要素と同一の要素については後述しない。
【００８８】
(実施形態６)
以下、本発明の第６実施形態に係るジャケットを図１２及び図１３を参照して説明する。
【００８９】
図１２は、本発明の第６実施形態に係るジャケットを図解説明する部分前方斜視図であり、さらに、図１３は図に示したＶＩ-ＶＩ断面図である。
【００９０】
図１２及び図１３に示すように、本発明の第６実施形態に係るジャケット６００には、前記ジャケット６００の外皮６１０内面に連結された取付可能内皮６３０ａが含まれる。前記第６実施形態は、高さ調整部分６１７が前記ウォームポケットの横部分に設けられるという点で前記第４実施形態と異なる。
【００９１】
なお、本発明の第６実施形態は、前記二重層構造又は前記外皮のみを含む前記単層構造のいずれのジャケットに対しても適用可能である。前記第４実施形態における要素と同一の要素については後述しない。
【００９２】
(実施形態７)
以下、本発明の第７実施形態に係るジャケットを図１４及び図１５を参照して説明する。
【００９３】
図１４は、本発明の第７実施形態に係るジャケットを図解説明する部分前方斜視図であり、さらに、図１５は図に示したＶＩＩ-ＶＩＩ断面図である。
【００９４】
図１４及び図１５に示すように、本発明の第７実施形態に係るジャケット７００には外皮７１０及び内皮７３０が含まれ、そこでは取付可能外皮７１０ａが前記ジャケット７００の内皮７３０外面に連結される。そのため、前記取付可能外皮７１０ａは前記ウォームポケットの外皮となり、前記ジャケット７００の内皮７３０は前記ウォームポケットの内皮となる。
【００９５】
開口部７１２は、ユーザーが前記ウォームポケットに両手を入れることができるように、前記ウォームポケットの両側に形成される。
【００９６】
ウォーマー７４０を受け入れるための開口ポート７２２を有する内部ポケット７２０は、前記ウォームポケットの内皮に連結される。
【００９７】
この実施形態によれば、前記取付可能外皮７１０ａが、前記ウォームポケットを形成するように、前記ジャケット７００の内皮７３０に密接して連結されるので、前記ウォームポケットが前記ジャケット７００の外皮７１０から間隔をおいて位置するようになっている。前記ジャケット７００の外皮７１０は、ユーザーが前記ウォームポケットに両手を入れることができるように、前記取付可能外皮７１０ａの開口部７１２に連結される。
【００９８】
さらに、開閉ユニット７５２を有する横開口部７５０は、ユーザーが両手を前記横開口部７５０に入れることができるように、前記ジャケット７００の前部及び後部の間に位置する横側面部分に形成される。前記横開口部７５０の詳細構造は他の実施形態を参照して後述する。
【００９９】
(実施形態８)
以下、本発明の第８実施形態に係るジャケットを図１６及び図１７を参照して説明する。
【０１００】
図１６は、本発明の第８実施形態に係るジャケットを図解説明する部分前方斜視図であり、さらに、図１７は図に示したＶＩＩＩ-ＶＩＩＩ断面図である。
【０１０１】
本発明の第８実施形態に係るジャケット８００は、前記ジャケット８００の内皮８３０内面に連結された取付可能外皮８１０ａと、前記取付可能外皮８１０ａ及び前記ジャケット８００の内皮８３０の間に挟入される中間部材８１５と、を含む二重層構造を有する。そのため、前記取付可能外皮８１０ａと前記ジャケット８００の内皮８３０とは、前記中間部材８１５を介して互いに連結される。
【０１０２】
前記中間部材８１５のために前記ウォームポケットは前記ジャケット８００の材質に拘わらず前記ジャケット８００を安定的に連結することが可能である。
【０１０３】
前記第７実施形態における要素と同一の要素については後述しない。
【０１０４】
(実施形態９)
以下、本発明の第９実施形態に係るジャケットを図１８及び図１９を参照して説明する。
【０１０５】
図１８は、本発明の第９実施形態に係るジャケットを図解説明する部分前方斜視図であり、さらに、図１９は図に示したＩＸ-ＩＸ断面図である。
【０１０６】
図１８及び図１９に示すように、本発明の第９実施形態に係るジャケット９００には、前記ジャケット９００の内皮９３０外面に連結された取付可能外皮９１０ａが含まれる。前記第９実施形態は、高さ調整部分９１７が前記ウォームポケットの横部分に設けられているという点で前記第７実施形態と異なる。
【０１０７】
前記第７実施形態における要素と同一の要素については後述しない。
【０１０８】
(実施形態１０)
以下、本発明の第１０実施形態に係るジャケットを図２０及び図２１を参照して説明する。
【０１０９】
図２０は、本発明の第１０実施形態に係るジャケットを図解説明する部分前方斜視図であり、さらに、図２１は図に示したＸ-Ｘ断面図である。
【０１１０】
図２０及び図２１に示すように、本発明の第１０実施形態に係るジャケット１０００には外皮１０１０及び内皮１０３０が含まれ、そこでは取付可能内皮１０３０ａが前記ジャケット１０００の内皮１０３０内面に連結される。そのため、前記ジャケット１０００の内皮１０３０は前記ウォームポケットの外皮となり、前記取付可能内皮１０３０ａは前記ウォームポケットの内皮となる。
【０１１１】
開口部１０１２の構造とウォーマーを受け入れるための内部ポケット１０２０の構造とは、その他の実施形態の構造と同一である。
【０１１２】
この実施形態によれば、前記取付可能内皮１０３０ａが、前記ウォームポケットを形成するように、前記ジャケット１０００の内皮１０３０に密接して連結されるので、前記ウォームポケットは前記ジャケット１０００の外皮１０１０から間隔をおいて位置するようになっている。取付可能外皮１０１０ａの開口部１０１２に連結される前記ジャケット１０００の横開口部１０５０の構造と前記外皮１０１０の構造とは、前記第７実施形態の構造と同一である。
【０１１３】
(実施形態１１)
以下、本発明の第１１実施形態に係るジャケット図２２及び図２３を参照して説明する。
【０１１４】
図２２は、本発明の第１１実施形態に係るジャケットを図解説明する部分前方斜視図であり、さらに、図２３は図に示したＸＩ-ＸＩ断面図である。
【０１１５】
図２２及び図２３に示すように、本発明の第１１実施形態に係るジャケット１１００は、前記ジャケット１１００の内皮１１３０内面に連結された取付可能内皮１１３０ａと、前記取付可能内皮１１３０ａ及び前記ジャケット１１００の内皮１１３０の間に挟入された中間部材１１１５と、を含む二重層構造を有する。そのため、前記取付可能内皮１１３０ａ及び前記ジャケット１１００の内皮１１３０は、前記中間部材１１１５を介して互いに連結される。
【０１１６】
前記中間部材１１１５のために前記ウォームポケットは前記ジャケット１１００の材質に拘わらず、前記ジャケット１１００に安定的に連結することが可能である。
【０１１７】
前記第１０実施形態における要素と同一の要素については後述しない。
【０１１８】
(実施形態１２)
以下、本発明の第１２実施形態に係るジャケットを図２４及び図２５を参照して説明する。
【０１１９】
図２４は、本発明の第１２実施形態に係るジャケットを図解説明する部分前方斜視図であり、さらに、図２５は図に示したＸＩＩ-ＸＩＩ断面図である。
【０１２０】
図２４及び図２５に示すように、本発明の第１２実施形態に係るジャケット１２００には、前記ジャケット１２００の内皮１２３０内面に連結された取付可能内皮１２３０ａが含まれる。前記第１２実施形態は、高さ調整部分１２１７が前記ウォームポケットの横部分に設けられているという点で前記第１０実施形態と異なる。
【０１２１】
前記第１０実施形態における要素と同一の要素については後述しない。
【０１２２】
(実施形態１３)
以下、本発明の第１３実施形態に係るジャケットを図２６及び図２７を参照して説明する。
【０１２３】
図２６は、本発明の第１３実施形態に係るジャケットを図解説明する部分前方斜視図であり、さらに、図２７は図に示したＸＩＩＩ-ＸＩＩＩ断面図である。
【０１２４】
図２６及び図２７に示すように、本発明の第１３実施形態に係るジャケット１３００には、前記ジャケット１３００の外皮１３１０外面に連結された取付可能部材が含まれる。前記取付可能部材はボックス形状を有し、取付可能外皮１３１０ａ及び取付可能内皮１３３０ａを含む。
【０１２５】
ウォーマーを受け入れるための開口ポート１３２２を有する内部ポケット１３２０は、前記取付可能内皮１３３０ａの外面に連結される。開口部１３１２は、ユーザーが前記ウォームポケットに両手を入れることができるように、前記取付可能外皮１３１０ａの両側に形成される。
【０１２６】
前記ボックス形状の取付可能部材は、前記ジャケット１３００の外皮１３１０に固定連結されることが可能である。この実施形態によれば、前記ボックス形状の取付可能部材は、ベルクロテープ１３１８及び１３３８によって前記ジャケット１３００の外皮１３１０に着脱可能に連結することが可能である。
【０１２７】
なお、本発明の第１３実施形態は、前記二重層構造又は前記外皮のみを含む前記単層構造のいずれのジャケットに対しても適用可能である。
(実施形態１４)
【０１２８】
以下、本発明の第１４実施形態に係るジャケットを図２８及び図２９を参照して説明する。
【０１２９】
図２８は、本発明の第１４実施形態に係るジャケットを図解説明する部分前方斜視図であり、さらに、図２９は図に示したＸＩＶ-ＸＩＶ断面図である。
【０１３０】
図２８及び図２９に示すように、本発明の第１４実施形態に係るジャケット１４００には、ウォームポケットを形成するように、前記ジャケット１４００の外皮１４１０内面に連結されるボックス形状の取付可能部材が含まれる。その他の要素は前記第１３実施形態の要素と同一なので、冗長性を回避するため後述しない。
【０１３１】
(実施形態１５)
以下、本発明の第１５実施形態に係るジャケットを図３０及び図３１を参照して説明する。
【０１３２】
図３０は、本発明の第１５実施形態に係るジャケットを図解説明する部分前方斜視図であり、さらに、図３１は図に示したＸＶ-ＸＶ断面図である。
【０１３３】
図３０及び図３１に示すように、本発明の第１５実施形態に係るジャケット１５００には外皮１５１０及び内皮１５３０が含まれ、そこではボックス形状の取付可能部材がウォームポケットを形成するように、前記ジャケット１５００の内皮１５３０外面に連結される。その他の要素は前記第１３実施形態の要素と同一なので、冗長性を回避するため後述しない。
【０１３４】
(実施形態１６)
以下、本発明の第１６実施形態に係るジャケットを図３２及び図３３を参照して説明する。
【０１３５】
図３２は、本発明の第１６実施形態に係るジャケットを図解説明する部分前方斜視図であり、さらに、図３３は図に示したＸＶＩ-ＸＶＩ断面図である。
【０１３６】
図３２及び図３３に示すように、本発明の第１６実施形態に係るジャケット１６００には外皮１６１０及び内皮１６３０が含まれ、そこではボックス形状の取付可能部材がウォームポケットを形成するように、前記ジャケット１６００の内皮１６３０内面に連結される。その他の要素は前記第１３実施形態の要素と同一なので、冗長性を回避するため後述しない。
【０１３７】
(実施形態１７)
以下、本発明の第１７実施形態に係るジャケットを図３４及び図３５を参照して説明する。
【０１３８】
図３４は、本発明の第１７実施形態に係るジャケットを図解説明する部分前方斜視図であり、さらに、図３５は図に示したＸＶＩＩ-ＸＶＩＩ断面図である。
【０１３９】
図３４及び図３５に示すように、本発明の第１７実施形態に係るジャケット１７００には外皮１７１０及び内皮１７３０が含まれ、そこではウォームポケットを形成するように、前記外皮１７１０が前記内皮１７３０に連結される。
【０１４０】
つまり、前記ジャケット１７００の外皮１７１０は前記ウォームポケットの外皮となり、前記ジャケット１７００の内皮１７３０は前記ウォームポケットの内皮となる。開口部１７１２は、ユーザーが前記ウォームポケットに両手を入れることができるようにウォームポケットの外皮の両側に形成される。
【０１４１】
ウォーマー１７４０を受け入れるための開口ポート１７２２を有する内部ポケット１７２０は、前記ウォームポケットの内皮に連結される。
【０１４２】
前記ジャケット１７００の横開口部１７５０の構造は、前記第７実施形態に記載のジャケットの構造と同一である。
【０１４３】
(実施形態１８)
以下、本発明の第１８実施形態に係るジャケットを図３６及び図３７を参照して説明する。
【０１４４】
図３６は、本発明の第１８実施形態に係るジャケットを図解説明する部分前方斜視図であり、さらに、図３７は図に示したＸＶＩＩＩ-ＸＶＩＩＩ断面図である。
【０１４５】
図３６及び図３７に示すように、本発明の第１８実施形態に係るジャケット１８００には内皮１８３０及び前記内皮１８３０に連結された外皮１８１０が含まれ、そこでは中間部材１８１５が前記ジャケット１８００の外皮１８１０と内皮１８３０との間に挟入される。そのため、前記外皮１８１０は、前記中間部材１８１５を介して前記内皮１８３０に連結される。
【０１４６】
前記中間部材１８１５のために、その縫い目を隠すこともできるので、前記ジャケット１８００がシンプルなデザインを有することも可能であり、前記ジャケット１８００の材質に拘わらず、前記ウォームポケットは前記ジャケット１８００に安定的に連結することが可能である。
【０１４７】
前記第１７実施形態における要素と同一の要素については後述しない。
【０１４８】
(実施形態１９)
以下、本発明の第１９実施形態に係るジャケットを図３８及び図３９を参照して説明する。
【０１４９】
図３８は、本発明の第１９実施形態に係るジャケットを図解説明する部分前方斜視図であり、さらに、図３９は図に示したＸＩＸ-ＸＩＸ断面図である。
【０１５０】
図３８及び図３９に示すように、本発明の第１９実施形態に係るジャケット１９００には、内皮１９３０及び前記内皮１９３０に連結された外皮１９１０が含まれる。前記第１９実施形態は、高さ調整部材１９１７が中間部材１９１５によって形成されているという点で前記第１７実施形態と異なる。
【０１５１】
前記第１７実施形態における要素と同一の要素については後述しない。
【０１５２】
(実施形態２０)
以下、本発明の第２０実施形態に係るジャケットを図４０及び図４１を参照して説明する。
【０１５３】
図４０は、本発明の第２０実施形態に係るジャケットを図解説明する斜視図であり、さらに、図４１は図に示したＸＸ-ＸＸ断面図である。
【０１５４】
図４０及び図４１に示すように、本発明の第２０実施形態によれば、取付可能外皮２０１０ａはウォームポケットを形成するように、前記ジャケット２０００の外皮２０１０に連結される。開口部１１３が前記取付可能外皮１１０ａの両側に別個に形成されている第１実施形態と異なり、前記取付可能外皮２０１０ａの上下部分は、その横部分が開口可能なように、前記ジャケット２０００の外皮２０１０に連結されており、それによって開口部２０１７を形成している。
【０１５５】
その他の要素は前記第１実施形態の要素と同一なので、冗長性を回避するため後述しない。
【０１５６】
(実施形態２１)
以下、本発明の第２１実施形態に係るジャケットを図４２及び図４３を参照して説明する。
【０１５７】
図４２は、本発明の第２１実施形態に係るジャケットを図解説明する斜視図であり、さらに、図４３は図に示したＸＸＩ-ＸＸＩ断面図である。
【０１５８】
図４２及び図４３に示すように、本発明の第２１実施形態に係るジャケット２１００は、前記ウォームポケットを左右のポケット部に分割する縫製部分（ａ）を除いて、本発明の第１〜第２０実施形態のジャケットと実質的に同一である。
【０１５９】
この場合、２つのウォーマー２１４０を前記ウォームポケットに収納可能なので、その保温効率を向上させることができるようになっている。
【０１６０】
(実施形態２２)
以下、本発明の第２２実施形態に係るジャケットを図を参照して説明する。
【０１６１】
図４４は、本発明の第２２実施形態に係るジャケットのウォームポケットを図解説明する断面図である。
【０１６２】
図４４に示すように、本発明の第２２実施形態に係るジャケット２２００には外皮２２１０及び内皮２２３０が含まれ、そこでは前記内皮２２３０が前内皮２２３２及び後内皮２２３４に分割される。
【０１６３】
ベルクロファスナーテープ２２３５は、前記前内皮２２３２及び前記後内皮２２３４の両横側面に付加的に取り付けられる。
【０１６４】
前記ベルクロファスナーテープ２２３５の連結長さを調整することによって、前記ジャケット２２００の内皮２２３０の直径をユーザーのウエストサイズに合わせて調整可能であり、前記ジャケット２２００の着心地を向上させることができる。
【０１６５】
なお、ユーザーは、その手を前記ウォームポケットの開口部２２１２に入れることによって、前記前内皮２２３２と前記後内皮２２３４との間の連結長さを調整することが可能である。別法として、ユーザーは、前記ジャケットの前部及び後部２２００の間に位置する横側面部分に形成された横開口部２２５０にその手を入れることによって、前記前内皮２２３２と前記後内皮２２３４との間の連結長さを調整することが可能である。
【０１６６】
特に、前記ウォームポケットが前記ジャケットの背部のみに形成される場合、ユーザーは前記横開口部を介して前記ジャケットの内皮の直径を容易に調整することが可能である。
【０１６７】
前記横開口部２２５０は、前記ジャケットの前部が前記ジャケットの後部と出会う前記ジャケットの横側面に形成され、スライドファスナーなどの開閉ユニットを備えている。そのため、前記横開口部２２５０の不使用時には、前記開閉ユニットによって前記横開口部２２５０が閉じられるので、前記ジャケットをシンプルかつ整然と保つことが可能になっている。
【０１６８】
本発明の第２２実施形態に係る内皮の構造は、前記外皮及び前記内皮の両方を含む前記ジャケットに対しても適用可能である。
【０１６９】
(実施形態２３)
以下、本発明の第２３実施形態に係るジャケットを図を参照して説明する。
【０１７０】
図４５は、本発明の第２３実施形態に係るジャケットのウォームポケットを図解説明する断面図である。
【０１７１】
図４５に示すように、本発明の第２３実施形態に係るジャケット２３００には、その一部が前内皮２３３２と後内皮２３３４に分割されている内皮２３３０が含まれる。ベルクロファスナーテープ２３３５は、前記前内皮２３３２及び前記後内皮２３３４の両横側面に取り付けられる。
【０１７２】
つまり、前記第２２実施形態と異なり、前記内皮２３３０の一部のみが前記前内皮２３３２及び前記後内皮２３３４に分割されているので、横開口部２３５０は、前記ジャケット２３００外皮２３１０の片側のみに形成される。
【０１７３】
本発明の第２３実施形態に係る内皮の構造は、前記外皮及び前記内皮の両方を含む前記ジャケットに対しても適用可能である。
【０１７４】
(実施形態２４)
以下、本発明の第２４実施形態に係るジャケットを図を参照して説明する。
【０１７５】
図４６は、本発明の第２４実施形態に係るジャケットのウォームポケットを図解説明する断面図である。
【０１７６】
図４６に示すように、本発明の第２４実施形態に係るジャケット２４００には、前記ジャケット２４００の内皮２４３０に連結された長さ調整部材２４６０が含まれる。
【０１７７】
前記長さ調整部材２４６０はベルクロファスナーテープ２４６２とともにその両側に形成され、前記ジャケット２４００の内皮２４３０と一体的に形成することが可能である。この実施形態によれば、前記長さ調整部材２４６０は、前記ジャケット２４００の内皮２４３０に着脱可能に連結することが可能である。
【０１７８】
さらに、前記ジャケット２２００は、前記ベルクロファスナーテープ２４６２の連結長さを調整することによってユーザーの身体に合うように調整することが可能である。本発明には前記ベルクロファスナーテープ２４６２によって前記ジャケット２４００の内皮２４３０に連結された前記長さ調整部材２４６０を示すが、本発明はそれに限定されるものではない。実例としては、前記ベルクロファスナーテープ２４６２の代わりにボタンを使用すること、又は前記長さ調整部材２４６０の一端を前記内皮２４３０に縫製することが可能である。
【０１７９】
そのため、本発明の第２４実施形態に係るジャケット２４００は優れた着心地を実現する。
【０１８０】
さらに、この実施形態では、前記長さ調整部材２４６０が前記ジャケット２４００の内皮２４３０の内部部分に付加的に連結されると説明したが、本発明はそれに限定されるものではない。本発明の別の実施形態によれば、前記ウォームポケットをユーザーの腰周りに密着させるように、前記長さ調整部材を前記外皮外面、前記外皮内面、及び前記ジャケットの内皮外面のうちの１つに付加的に連結することが可能である。
【０１８１】
つまり、前記長さ調整部材は前記二重層構造又は前記単層構造のいずれのジャケットに適用することが可能である。前記二重層構造のジャケットの場合、前記長さ調整部材を前記内皮又は前記外皮の内面又は外面、又は前記ウォームポケットに選択的に連結することが可能である。前記単層構造のジャケットの場合、前記長さ調整部材を前記ジャケットの内面又は外面、又は前記ウォームポケットに選択的に連結することが可能である。
【０１８２】
(実施形態２５)
以下、本発明の第２５実施形態に係るジャケットを図を参照して説明する。
【０１８３】
図４７は、本発明の第２５実施形態に係るジャケットを図解説明する斜視図である。
【０１８４】
図４７に示すように、本発明の第２５実施形態に係るジャケット２５００には、前記ジャケット２５００の内皮に連結されたエラスチックバンド２５６０が含まれる。
【０１８５】
前記エラスチックバンド２５６０はその長さを調整できる長さ調整部材であり、前記エラスチックバンド２５６０の両端が前記ジャケットの内皮２５００に接続されるので、前記エラスチックバンド２５６０はユーザーの身体に合うように調整することと、着心地を向上させること、が可能になっている。さらに、前記エラスチックバンド２５６０は前記ジャケットの内皮２５００に接続されるので、前記エラスチックバンド２５６０が外側に露出することがなく、前記ジャケットの外観を損なわない。そのため、前記内皮はユーザーの身体に緊密に密着し、前記外皮が自然に外側に露出される。
【０１８６】
なお、本実施形態では、前記エラスチックバンド２５６０が前記ジャケット２５００の内皮２５３０に付加的に連結されると説明したが、本発明はそれに限定されるものではない。本発明の別の実施形態によれば、前記ウォームポケットをユーザーの腰周りに密着させるように、前記長さ調整部材を前記外皮外面、前記外皮内面、及び前記ジャケットの内皮外面のうちの１つに付加的に連結することが可能である。
【０１８７】
(実施形態２６)
以下、に係るジャケット本発明の第２６実施形態を図を参照して説明する。
【０１８８】
図４８は、本発明の第２６実施形態に係るジャケットのウォームポケットを図解説明する部分分解斜視図である。
【０１８９】
図４８に示すように、本発明の第２６実施形態に係るジャケット２６００では、前記ウォームポケットを形成するように、内部ポケット２６２０及び取付可能外皮２６１０ａは、それぞれベルクロ手段２６１８及び２６２８によって前記ジャケット２６００の外皮２６１０に着脱可能に連結される。
【０１９０】
本発明の第２６実施形態によれば、前記ウォーマーの不使用時には前記内部ポケット２６２０ばかりでなく、前記ウォームポケットも前記ジャケット２６００から取り外すことが可能である。そのため、前記ウォーマーが不要な場合、ユーザーは前記ジャケット２６００を普通のゴルフ着として便利に使用することが可能である。
【０１９１】
なお、本実施形態では、前記ウォームポケットを形成するように、前記内部ポケット及び前記取付可能部材を前記ジャケットの外皮２７１０に着脱可能に連結することが可能であると説明したが、本発明は、前記取付可能部材によって形成された前記ウォームポケットを有する多様なジャケットに対しても適用可能である。さらに、前記ベルクロテープの代わりにスライドファスナー、ボタン、又は接着テープを使用することも可能である。
【０１９２】
さらに、前記内部ポケットのみを着脱可能に連結することも可能である。
【０１９３】
つまり、本発明の第２６実施形態に係る構造は、前記内皮及び前記外皮を含む単層構造又は二重層構造のいずれのジャケットに対して適用可能である。この場合、前記ウォームポケットを前記ジャケットに着脱可能に連結することができる。
【０１９４】
つまり、前記ジャケットが前記単層構造を有する場合、前記ウォームポケットを形成するように、取付可能外皮又は取付可能内皮は前記ジャケットの外面又は内面に連結される。この時点で、前記取付可能外皮又は前記取付可能内皮をベルクロテープ又はファスナーテープによって前記ジャケットに着脱可能に連結できる。
【０１９５】
さらに、前記外皮及び前記内皮を含む前記単層構造又は前記二重層構造のジャケットにおいては、前記ウォームポケットは、ポケット内皮及びポケット外皮を含むポケット部材を前記ジャケットの外皮に連結することによって形成される。この時点で、前記ポケット部材は上記連結ユニットによって前記ジャケットに着脱可能に連結される。そのため、前記単層構造又は前記二重層構造などの多様な構造を有する前記ウォームポケットを前記ジャケットに着脱可能に連結することができるのである。
【０１９６】
(実施形態２７)
以下、本発明の第２７実施形態に係るジャケットを図を参照して説明する。
【０１９７】
図４９は本発明の第２７実施形態に係るジャケットを示す正面図である。
【０１９８】
図４９に示すように、本発明の第２７実施形態に係るジャケット２７００には、締結ユニットとして開口部に適用されるスライドファスナー２７１９が含まれる。しかしながら、本発明はそれに限定されるものではなく、前記スライド２７１９の代わりにボタン又はベルクロテープを使用することが可能である。
【０１９９】
本発明の第２７実施形態によれば、前記ジャケット２７００のウォームポケットはシールすることが可能であるので、前記ジャケット２７００の美観及び前記保温ポケットの保温効率を向上させることができる。
【０２００】
本発明の第２７実施形態の締結ユニットは、本発明の第１〜第２６実施形態に対しても適用可能である。
【０２０１】
（他の実施形態）
以上に実施形態１〜２７を説明したが、本発明はそれらに限定されるものではなく、下記のように上記実施形態のうちの少なくとも１つを組み合わせることによっても実施することが可能である。
【０２０２】
好ましくは、前記内皮全体、又は前記ジャケットの内皮の一部、前記ウォームポケット、又は前記内部ポケットは多様なサイズのウォーマーをその中に収納するように可撓性材料からなる。
【０２０３】
さらに、前記ウォーマーを受け入れるように、前記内部ポケットに形成された前記開口ポートは、前記ウォーマーが前記内部ポケットから偶発的に出て落ちることを防止するようにベルクロテープ又はスライドファスナーなどの締結部材を装備することが可能である。
【０２０４】
前記締結部材には、限定するものではないが、スライドファスナー、ベルクロファスナー、ボタン、又はクリップが含まれる。
【０２０５】
前記ウォーマーが前記内部ポケットに入れられる場合、前記ウォーマーは前記内部ポケットと前記内皮との間に位置する。さらに、前記内皮は可撓性部材からなるので、前記ウォーマーから生じた熱をユーザーの身体に効果的に伝達することが可能である。
【０２０６】
さらに、前記内部ポケットは前記内皮に連結されるので、たとえその中に収納された前記ウォーマーの重量のために前記内部ポケットが下方にたるんでも前記内部ポケットが前記外皮に悪影響を及ぼす可能性がないので、前記ジャケットの美観又はその着心地は損なわれない。
【０２０７】
さらに、前記ウォームポケットが前記ジャケットの前部又は後部に選択的に形成されること、又は前記ジャケットの前部及び後部の両方に同時形成されること、が可能であり、さらに前記ウォームポケットを左右のポケット部に分割するように縫製部分を前記ウォームポケットの中心に設けることも可能である。
【産業上の利用可能性】
【０２０８】
本発明の好適な実施形態は例示的な目的で記述したものであって、当業者であれば種々の変更、付加および代替を添付の特許請求の範囲で開示した本発明の範囲および真の趣旨から逸脱することなく行い得ることを理解されるであろう。
【０２０９】
実例としては、前記ウォームポケットの形状は矩形形状に限定されるものでなく、前記ジャケットの形状に応じてさまざまにデザインされることも可能である。
【図面の簡単な説明】
【０２１０】
【図１】図１は、本発明の第１実施形態に係るジャケットを図解説明する部分前方斜視図である。
【図２】図２は、本発明の第１実施形態に係るジャケットを図解説明する部分後方斜視図である。
【図３】図３は図１に示したＩ−Ｉ断面図である。
【図４】図４は、本発明の第２実施形態に係るジャケットを図解説明する部分前方斜視図である。
【図５】図５は図４に示したＩＩ−ＩＩ断面図である。
【図６】図６は、本発明の第３実施形態に係るジャケットを図解説明する部分前方斜視図である。
【図７】図７は図６に示したＩＩＩ-ＩＩＩ断面図である。
【図８】図８は、本発明の第４実施形態に係るジャケットを図解説明する部分前方斜視図である。
【図９】図９は図８に示したＩＶ-ＩＶ断面図である。
【図１０】図１０は、本発明の第５実施形態に係るジャケットを図解説明する部分前方斜視図である。
【図１１】図１１は図１０に示したＶ-Ｖ断面図である。図１２は、本発明の第６実施形態に係るジャケットを図解説明する部分前方斜視図である。
【図１２】図１２は、本発明の第６実施形態に係るジャケットを図解説明する部分前方斜視図である。
【図１３】図１３は図１２に示したＶＩ-ＶＩ断面図である。
【図１４】図１４は本発明の第７実施形態に係るジャケットを図解説明する部分前方斜視図である。
【図１５】図１５は図１４に示したＶＩＩ-ＶＩＩ断面図である。
【図１６】図１６は、本発明の第８実施形態に係るジャケットを図解説明する部分前方斜視図である。
【図１７】図１７は図１６に示したＶＩＩＩ-ＶＩＩＩ断面図である。
【図１８】図１８は、本発明の第９実施形態に係るジャケットを図解説明する部分前方斜視図である。
【図１９】図１９は図１８に示したＩＸ-ＩＸ断面図である。
【図２０】図２０は、本発明の第１０実施形態に係るジャケットを図解説明する部分前方斜視図である。
【図２１】図２１は図２０に示したＸ-Ｘ断面図である。
【図２２】図２２は、本発明の第１１実施形態に係るジャケットを図解説明する部分前方斜視図である。
【図２３】図２３は図２２に示したＸＩ-ＸＩ断面図である。
【図２４】図２４は、本発明の第１２実施形態に係るジャケットを図解説明する部分前方斜視図である。
【図２５】図２５は図２４に示したＸＩＩ-ＸＩＩ断面図である。
【図２６】図２６は、本発明の第１３実施形態に係るジャケットを図解説明する部分前方斜視図である。
【図２７】図２７は図２６に示したＸＩＩＩ-ＸＩＩＩ断面図である。
【図２８】図２８は、を図解説明する部分前方斜視図であり、本発明の第１４実施形態に係るジャケットである。
【図２９】図２９は図２８に示したＸＩＶ-ＸＩＶ断面図である。
【図３０】図３０は、本発明の第１５実施形態に係るジャケットを図解説明する部分前方斜視図である。
【図３１】図３１は図３０に示したＸＶ-ＸＶ断面図である。
【図３２】図３２は、本発明の第１６実施形態に係るジャケットを図解説明する部分前方斜視図である。
【図３３】図３３は図３２に示したＸＶＩ-ＸＶＩ断面図である。
【図３４】図３４は、本発明の第１７実施形態に係るジャケットを図解説明する部分前方斜視図である。
【図３５】図３５は図３４に示したＸＶＩＩ-ＸＶＩＩ断面図である。
【図３６】図３６は、本発明の第１８実施形態に係るジャケットを図解説明する部分前方斜視図である。
【図３７】図３７は図３６に示したＸＶＩＩＩ-ＸＶＩＩＩ断面図である。
【図３８】図３８は、本発明の第１９実施形態に係るジャケットを図解説明する部分前方斜視図である。
【図３９】図３９は図３８に示したＸＩＸ-ＸＩＸ断面図である。
【図４０】図４０は、本発明の第２０実施形態に係るジャケットを図解説明する斜視図である。
【図４１】図４１は図４０に示したＸＸ-ＸＸ断面図である。
【図４２】図４２は、本発明の第２１実施形態に係るジャケットを図解説明する斜視図である。
【図４３】図４３は図４２に示したＸＸＩ-ＸＸＩ断面図である。
【図４４】図４４は、本発明の第２２実施形態に係るジャケットのウォームポケットを図解説明する断面図である。
【図４５】図４５は、本発明の第２３実施形態に係るジャケットのウォームポケットを図解説明する断面図である。
【図４６】図４６は、本発明の第２４実施形態に係るジャケットのウォームポケットを図解説明する断面図である。
【図４７】図４７は、本発明の第２５実施形態に係るジャケットを図解説明する斜視図である。
【図４８】図４８は、本発明の第２６実施形態に係るジャケットのウォームポケットを図解説明する部分分解斜視図である。
【図４９】図４９は、本発明の第２７実施形態に係るジャケットを示す正面図である。
【図５０】図５０は、従来の技術に係る保温具の使用状態を図解説明する図である。
【図５１】図５１は、別の従来の技術に係る保温具の使用状態を図解説明する斜視図である。
【図５２】図５２は、別の従来の技術に係る保温具の使用状態を図解説明する図である。
【符号の説明】
【０２１１】
１：手
２：ゴルフ手袋
１０：ウォーム手袋
１２：開口部
２０：ウォーム背部
２２：開口部
２４：腰紐
２６：凸部分
２８：凹部分
３０：ジャケット（ベストなどを含む）
１００、２００、３００、４００、５００、６００、７００、８００、９００、１０００、１１００、１２００、１３００、１４００、１５００、１６００、１７００、１８００、１９００、２０００、２１００、２２００、２３００、２４００、２５００：ウォームポケット付きジャケット 
１１０、２１０、３１０、４１０、５１０、６１０、７１０、８１０、９１０、１０１０、１２１０、１３１０、１４１０、１５１０、１６１０、１７１０、１８１０、１９１０、２０１０、２１１０、２２１０、２３１０、２４１０、２５１０：外皮
１１２、２１２、３１２、４１２、５１２、６１２、７１２、８１２、９１２、１０１２、１１１２、１２１２、１３１２、１４１２、１５１２、１６１２、１７１２、１８１２、１９１２、２０１２、２１１２、２２１２：開口部
５１５、１１１５：中間部材
１３０、２３０、３３０、４３０、５３０、６３０、７３０、８３０、９３０、１０３０、１１３０、１２３０、１３４０、１５３０、１６３０、１９３０、２１３０、２３３０、２４３０：内皮
１１０ａ、２１０ａ、３１０ａ、７１０ａ、８１０ａ、９１０ａ、１３１０ａ、１４１０ａ、１５１０ａ、１６１０ａ、１７１０ａ、１８１０ａ：取付可能外皮
４３０ａ、５３０ａ、６３０ａ、１０３０ａ、１１３０ａ、１２３０ａ、１３３０ａ、１４３０ａ、１５３０ａ、１６３０ａ：取付可能内皮
１５０、２５０、３５０、４５０、５５０、６５０、７５０、８５０、９５０、１０５０、１１５０、１２５０、１３５０、１４５０、１５５０、１６５０：横開口部
【図１】
2009516782.tif 000003
【図２】
2009516782.tif 000004
【図３】
2009516782.tif 000005
【図４】
2009516782.tif 000006
【図５】
2009516782.tif 000007
【図６】
2009516782.tif 000008
【図７】
2009516782.tif 000009
【図８】
2009516782.tif 000010
【図９】
2009516782.tif 000011
【図１０】
2009516782.tif 000012
【図１１】
2009516782.tif 000013
【図１２】
2009516782.tif 000014
【図１３】
2009516782.tif 000015
【図１４】
2009516782.tif 000016
【図１５】
2009516782.tif 000017
【図１６】
2009516782.tif 000018
【図１７】
2009516782.tif 000019
【図１８】
2009516782.tif 000020
【図１９】
2009516782.tif 000021
【図２０】
2009516782.tif 000022
【図２１】
2009516782.tif 000023
【図２２】
2009516782.tif 000024
【図２３】
2009516782.tif 000025
【図２４】
2009516782.tif 000026
【図２５】
2009516782.tif 000027
【図２６】
2009516782.tif 000028
【図２７】
2009516782.tif 000029
【図２８】
2009516782.tif 000030
【図２９】
2009516782.tif 000031
【図３０】
2009516782.tif 000032
【図３１】
2009516782.tif 000033
【図３２】
2009516782.tif 000034
【図３３】
2009516782.tif 000035
【図３４】
2009516782.tif 000036
【図３５】
2009516782.tif 000037
【図３６】
2009516782.tif 000038
【図３７】
2009516782.tif 000039
【図３８】
2009516782.tif 000040
【図３９】
2009516782.tif 000041
【図４０】
2009516782.tif 000042
【図４１】
2009516782.tif 000043
【図４２】
2009516782.tif 000044
【図４３】
2009516782.tif 000045
【図４４】
2009516782.tif 000046
【図４５】
2009516782.tif 000047
【図４６】
2009516782.tif 000048
【図４７】
2009516782.tif 000049
【図４８】
2009516782.tif 000050
【図４９】
2009516782.tif 000051
【図５０】
2009516782.tif 000052
【図５１】
2009516782.tif 000053
【図５２】
2009516782.tif 000054
【国際調査報告】
2009516782.tif 000055
2009516782.tif 000056